(57)【要約】【課題】カードデザインへの制約を無くし、設備コスト及び製造コストを抑制しつつ、発行処理を正確に行うことが可能なＩＣカード、ＩＣカード発行システム及びＩＣカードの発行方法を提供する。【解決手段】生カード３０から入力するカード種別コードと、データ管理部２０に記憶されている生カード３０に送信すべき発行データを識別するカード種別コードとに基づいて、この発行データを送信すべき生カード３０であるか否かを判定するカード種別検査部１４と、ＩＣカード３０’の発行後に、ＩＣカード３０’に記憶されているカード種別コードを消去するカード種別消去部１６とを備えるＩＣカード発行システム１０。【選択図】　　　　　　　　図１
2004094784.tif 000002
【特許請求の範囲】
【請求項１】
発行されるために施されるべき処理を識別する予定処理識別情報を記憶する予定処理識別情報記憶手段を備える未設定ＩＣカード。
【請求項２】
請求項１に記載の未設定ＩＣカードにおいて、
前記予定処理識別情報記憶手段は、発行されるために記憶すべき情報である発行データを識別するための発行データ識別情報を記憶すること、
を特徴とする未設定ＩＣカード。
【請求項３】
請求項１又は請求項２に記載の未設定ＩＣカードにおいて、前記入力予定データ識別情報記憶手段は、生カードの種類を識別する生カード種別情報を記憶すること、
を特徴とする未設定ＩＣカード。
【請求項４】
請求項１から請求項３までのいずれか１項に記載の未設定ＩＣカードにおいて、
前記予定処理識別情報記憶手段は、書換可能な不揮発性の記憶手段であること、
を特徴とする未設定ＩＣカード。
【請求項５】
請求項１から請求項４までのいずれか１項に記載の未設定ＩＣカードから入力する前記予定処理識別情報に基づいて、所定の処理を施すべき未設定ＩＣカードであるか否かを判定する正誤判定手段を備えるＩＣカード発行システム。
【請求項６】
請求項５に記載のＩＣカード発行システムにおいて、
発行するために前記未設定ＩＣカードに送信すべき発行データを識別する送信発行データ識別情報を記憶する送信発行データ識別情報記憶手段を備え、
前記正誤判定手段は、前記未設定ＩＣカードから入力される前記発行データ識別情報と、前記送信発行データ識別情報記憶手段に記憶されている前記送信発行データ識別情報とに基づいて、所定の発行データを送信すべき未設定ＩＣカードであるか否かを判定すること、
を特徴とするＩＣカード発行システム。
【請求項７】
請求項５又は請求項６に記載のＩＣカード発行システムにおいて、
ＩＣカードの発行後に、前記ＩＣカードに記憶されている前記予定処理識別情報を消去する予定処理識別情報消去手段を備えること、
を特徴とするＩＣカード発行システム。
【請求項８】
請求項１から請求項４までのいずれか１項に記載の未設定ＩＣカードから入力する前記予定処理識別情報に基づいて、所定の処理を施すべき未設定ＩＣカードであるか否かを判定する正誤判定ステップを備えるＩＣカードの発行方法。
【請求項９】
請求項８に記載のＩＣカードの発行方法において、
発行するために前記未設定ＩＣカードに送信すべき発行データを識別する送信発行データ識別情報を記憶する送信発行データ識別情報記憶ステップを備え、
前記正誤判定ステップは、前記未設定ＩＣカードから入力される前記発行データ識別情報と、前記送信発行データ識別情報記憶ステップにおいて記憶する前記送信発行データ識別情報とに基づいて、所定の発行データを送信すべき未設定ＩＣカードであるか否かを判定すること、
を特徴とするＩＣカードの発行方法。
【請求項１０】
請求項８又は請求項９に記載のＩＣカードの発行方法において、
ＩＣカードの発行後に、前記ＩＣカードに記憶されている前記予定処理識別情報を消去する予定処理識別情報消去ステップを備えること、
を特徴とするＩＣカードの発行方法。
【発明の詳細な説明】
【０００１】
【発明の属する技術分野】
本発明は、個別設定が未設定（未発行）のＩＣカードである未設定ＩＣカード、この未設定ＩＣカードに発行処理を行い、ＩＣカードを発行するＩＣカード発行システム及びＩＣカードの発行方法に関するものである。
【０００２】
【従来の技術】
従来のＩＣカード（主に接触式ＩＣカード）の製造、発行は、以下の手順で行われていた。
（１）先ず、カード表面へ印刷（カードの種類を特定する文字やカードの種類を特定する情報を記憶するバーコード等を含む。）を施す。
（２）次に、このカードへＩＣモジュールを実装することによって、いわゆる生カード（カード個別の情報が格納されていない等の個別設定がされていない未設定カード。以下、「生カード」という。）を作成する。
（３）最後にこの生カードに発行処理を施し、ＩＣカードを発行する。具体的には、生カードの券面の印刷文言等から発行すべきカード種を判別し、カード種別データ及びカード個別データとを生カードへ入力（以下、１次・２次発行）することによってＩＣカードを発行する。
【０００３】
ここで、カード種とは、券面の印刷文言等のカードの外装から種別されるカードの種類である。カード種別データとは、アプリケーション等のカードの種類によって異なる情報である。カード個別データとは、例えば、個人情報等の個々のカードによって異なる情報である。
なお、（１）及び（２）の工程を逆にして、カードへのＩＣモジュールの実装後にＩＣカード表面へ印刷（バーコードを含む）を行う発行手順も行われていた。
【０００４】
【発明が解決しようとする課題】
しかし、カード券面の印刷文言等の確認漏れから、間違った券面のカードにカード種別データ及びカード個別データを入力して発行する恐れがあった。
また、カード種別コードをＯＣＲやバーコード、磁気データとして券面に印刷またはエンコードし、発行時にそのコードを自動的にチェックした後発行する発行システムにおいても、ＩＣと通信を行うためのリーダライタ（以下、「リーダライタ」を「Ｒ／Ｗ」という。）の他にＯＣＲリーダやバーコードリーダ、磁気リーダ等が必要となり、発行システムが複雑で高価となるという問題があった。
更に、カードへカード種別コードを印刷する必要、磁気ストライプを設ける必要等があるため、カードデザインの制約、製造コストのアップの原因となるという問題があった。
【０００５】
本発明の課題は、カードデザインへの制約を無くし、設備コスト及び製造コストを抑制し、発行処理を正確に行うことが可能なＩＣカード、ＩＣカード発行システム及びＩＣカードの発行方法を提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、発行されるために施されるべき処理を識別する予定処理識別情報を記憶する予定処理識別情報記憶手段（３１）を備える未設定ＩＣカード（３０）である。
【０００７】
請求項２の発明は、請求項１に記載の未設定ＩＣカードにおいて、前記予定処理識別情報記憶手段は、発行されるために記憶すべき情報である発行データを識別するための発行データ識別情報を記憶すること、を特徴とする未設定ＩＣカード（３０）である。
【０００８】
請求項３の発明は、請求項１又は請求項２に記載の未設定ＩＣカードにおいて、前記入力予定データ識別情報記憶手段は、生カードの種類を識別する生カード種別情報を記憶すること、を特徴とする未設定ＩＣカード（３０）である。
【０００９】
請求項４の発明は、請求項１から請求項３までのいずれか１項に記載の未設定ＩＣカードにおいて、前記予定処理識別情報記憶手段は、書換可能な不揮発性の記憶手段であること、を特徴とする未設定ＩＣカード（３０）である。
【００１０】
請求項５の発明は、請求項１から請求項４までのいずれか１項に記載の未設定ＩＣカード（３０）から入力する前記予定処理識別情報に基づいて、所定の処理を施すべき未設定ＩＣカードであるか否かを判定する正誤判定手段（１４，１４−２）を備えるＩＣカード発行システム（１０）である。
【００１１】
請求項６の発明は、請求項５に記載のＩＣカード発行システムにおいて、発行するために前記未設定ＩＣカードに送信すべき発行データを識別する送信発行データ識別情報を記憶する送信発行データ識別情報記憶手段（２０）を備え、前記正誤判定手段は、前記未設定ＩＣカードから入力される前記発行データ識別情報と、前記送信発行データ識別情報記憶手段に記憶されている前記送信発行データ識別情報とに基づいて、所定の発行データを送信すべき未設定ＩＣカードであるか否かを判定すること、を特徴とするＩＣカード発行システム（１０）である。
【００１２】
請求項７の発明は、請求項５又は請求項６に記載のＩＣカード発行システムにおいて、ＩＣカードの発行後に、前記ＩＣカードに記憶されている前記予定処理識別情報を消去する予定処理識別情報消去手段（１６）を備えること、を特徴とするＩＣカード発行システム（１０）である。
【００１３】
請求項８の発明は、請求項１から請求項４までのいずれか１項に記載の未設定ＩＣカードから入力する前記予定処理識別情報に基づいて、所定の処理を施すべき未設定ＩＣカードであるか否かを判定する正誤判定ステップ（Ｓ１４０）を備えるＩＣカードの発行方法である。
【００１４】
請求項９の発明は、請求項８に記載のＩＣカードの発行方法において、発行するために前記未設定ＩＣカードに送信すべき発行データを識別する送信発行データ識別情報を記憶する送信発行データ識別情報記憶ステップ（Ｓ１１０，Ｓ１３０）を備え、前記正誤判定ステップは、前記未設定ＩＣカードから入力される前記発行データ識別情報と、前記送信発行データ識別情報記憶ステップにおいて記憶する前記送信発行データ識別情報とに基づいて、所定の発行データを送信すべき未設定ＩＣカードであるか否かを判定すること、を特徴とするＩＣカードの発行方法である。
【００１５】
請求項１０の発明は、請求項８又は請求項９に記載のＩＣカードの発行方法において、ＩＣカードの発行後に、前記ＩＣカードに記憶されている前記予定処理識別情報を消去する予定処理識別情報消去ステップ（Ｓ１６０）を備えること、を特徴とするＩＣカードの発行方法である。
【００１６】
【発明の実施の形態】
以下、図面等を参照しながら、本発明の実施の形態について、更に詳しく説明する。
（実施形態）
図１は、本発明による未設定ＩＣカード、ＩＣカード発行システムの実施形態を示すブロック図である。
本実施形態における未設定ＩＣカードは、生カード３０である。
図１に示すように、生カード３０は、書換可能な不揮発性メモリ３１を備え、カード種別コードを記憶している。カード種別コードとは、生カード３０の券面に印刷されている文言等の外装等、生カードの種類を識別するためのコードであって、生カードの種類毎にユニークな情報である。また、カード種別コードは、この生カード３０が発行されるために記憶すべき発行データを識別するための発行データ識別情報であるとともに、発行されるために施されるべき処理（発行データの入力）を識別する予定処理識別情報である。このカード種別コードは、カード製造時にＩＣチップに格納される。なお、ＩＣカード３０’は、１次発行処理及び２次発行処理等の発行処理が施された生カード３０である。
【００１７】
ＩＣカード発行システム１０は、制御部１１と、制御部１１に接続された搬送部１２、給紙部１３、カード種別検査部１４、１次・２次発行部１５、カード種別消去部１６、分別排紙部１７及び記憶部１８と、カード種別検査部１４及び１次・２次発行部１５に接続されたデータ管理部２０と、データ管理部２０に接続されたカード種別登録部２１及び発行データ入力部２２とを備えている。また、給紙部１３、カード種別検査部１４、１次・２次発行部１５、カード種別消去部１６及び分別排紙部１７は、ＩＣカード２の出入りを検出するセンサを備えている。
【００１８】
カード種別登録部２１は、データ管理部２０に登録するカード種別コードを入力する。また、カード種別登録部２１は、発行の対象となるべき生カード３０のカード種別コードを入力するカード種別コード入力装置である。発行データ入力部２２は、発行の際に生カード３０に送信する発行データをデータ管理部２０へ入力する入力装置である。
なお、例えば、発行データにカード種別コードを付して入力する等、カード種別登録部２１は、通常、発行データ入力部２２から発行データを入力する際に対応するカード種別コードを入力するが、カード種別コードが付されていない場合には、ＩＣカード発行システム１０の操作者等が登録済のカード種別コード（図２）を参照し、選択することによってカード種別登録部２１は、発行データに対応するカード種別コードを入力する。
データ管理部２０は、カード種別登録部２１及び発行データ入力部２２より入力されるカード種別コード及び発行データ等の記憶及び管理を行う。
【００１９】
図２は、データ管理部に登録されているカード種別コードを説明するための図である。
図２に示すように、データ管理部２０は、カード種別コードに、発行者識別情報及びアプリケーションの種類等のカードの種類を示す情報を関連づけて記憶している。このデータ管理部２０に登録されているカード種別コードは、このＩＣカード発行システム１０において発行処理を行うことが可能な生カード３０の種類を示している。
【００２０】
図３は、データ管理部に記憶されている発行データを説明するための図であり、図３（ａ）は、発行データのデータフォーマットを示し、図３（ｂ）は、その内容を示している。
データ管理部２０は、１次・２次発行部１５によるカード発行処理において生カード３０へ入力する発行データをカード種別コードに関連づけて記憶する。
発行データは、図３（ａ）に示すように、１次発行処理において生カード３０に入力する１次発行データ、２次発行処理において入力する２次発行データ等の発行処理の各段階において生カード３０に入力するデータを含み、ヘッダとしてカード種別コードが付されている。
【００２１】
図３（ｂ）に示すように、発行データは、生カード３０の種類毎にユニークなカード種別データと、カード毎にユニークなカード個別情報とを含み、カード種別コードに関連づけられている。
つまり、データ管理部２０は、生カード種別情報と、この生カード種別情報が示す種類の生カードに格納すべき発行データを関連づけて記憶している。従って、データ管理部２０は、生カードに送信し、格納すべき発行データを識別する送信発行データ識別情報を記憶する送信発行データ識別情報記憶手段である。
【００２２】
図１に示すように、制御部１１は、このＩＣカード発行システム１０を統括制御する中央処理装置である。制御部１１は、生カード３０（ＩＣカード３０’）の搬送序列、及び、各部１３，１４，１５，１６，１７が備えるセンサによって個々のカードの位置を把握し、搬送部１２による生カード３０（ＩＣカード３０’）の搬送を制御する。
搬送部１２は、給紙部１３からカード種別検査部１４、１次・２次発行部１５、カード種別消去部１６、分別排紙部１７の各部へ順に生カード３０（ＩＣカード３０’）を搬送する。
【００２３】
給紙部１３は、発行処理を行う対象となる生カード３０がロット単位でセットされ、この生カード３０を順に順次搬送部１２へ供給する生カード供給部である。
カード種別検査部１４は、Ｒ／Ｗを備え、給紙部１３から搬送された生カード３０の書換可能な不揮発性メモリ３１から読み取ったカード種別コードと、データ管理部２０に発行データと関連づけて記憶されているカード種別コードとを比較し、一致するか否か（ＯＫ／ＮＧ）を処理結果として制御部１１に送信するカード種別検査処理を行う。この処理結果（ＯＫ／ＮＧ）は、搬送序列に結びつけられて記憶部１８に記憶される。
【００２４】
１次・２次発行部１５は、Ｒ／Ｗを備え、データ管理部２０にカード種毎に設定されている仕様と発行データに基づき、カード種別検査部１４から搬送された各生カード３０のＩＣ部に対してカード発行処理を行う。マルチアプリケーション対応のＯＳを搭載した生カード３０の場合には、１次・２次発行部１５は、先ず、カード毎に個別のアプリケーションやサービスを登録、初期化する１次発行処理を行う。次に、１次・２次発行部１５は、生カード３０の所定のアドレスのメモリに対してＩＤや個人データ、バリューなどカード個別のデータを登録する２次発行処理を行う。１次・２次発行部１５は、この処理が正常に行われたか否かの処理結果（ＯＫ／ＮＧ）を制御部１１に送信する。この処理結果は、搬送序列に結びつけて記憶部１８に記憶される。
【００２５】
カード種別消去部１６は、１次・２次発行部１５から搬送された各ＩＣカード３０’について、制御部１１からカード種別検査部１４及び１次・２次発行部１５においての処理結果及び搬送序列を受信し、処理結果がＯＫであるＩＣカード３０’のメモリからカード種別コードを消去するカード種別消去処理を行う。
分別排紙部１７は、カード種別消去部１６から搬送された各ＩＣカード３０’について、制御部１１からカード種別検査部１４及び１次・２次発行部１５においての処理結果及び搬送序列を受信し、処理結果がＯＫのＩＣカード３０’を良品スタッカに搬送序列順に積層させ、ＮＧのＩＣカード３０’を不良品スタッカに搬送序列順に積層させる分別排紙処理を行う。
【００２６】
図４は、本発明によるＩＣカード発行システムの動作及び本発明によるＩＣカード発行方法を示すフローチャートである。
ステップ１００（以下、「ステップ」を「Ｓ」という。）において、ＩＣカード発行システム１０のデータ管理部２０には、カード種別登録部２１から、このカード種別コードが予め登録されている。
Ｓ１１０において、データ管理部２０に発行データ入力部２２から発行データが入力される。この発行データに対応するカード種別コードが入力されない場合には、操作者等が登録済のカード種別コード（図２）を参照し、選択することによって、カード種別登録部２１は、カード種別コードを入力する（Ｓ１２０，Ｓ１３０）。
【００２７】
ＩＣカード発行システム１０の給紙部１３に、製造段階においてカード種別コードが書換可能な不揮発性メモリ３１に記憶されている生カード３０がセットされる。搬送部１２は、この生カード３０を所定の順に各部１４，１５，１６，１７へ搬送し、カード種別検査部１４、１次・２次発行部１５、カード種別消去部１６及び分別排紙部１７は、カード種別検査処理（Ｓ１４０）、カード発行処理（Ｓ１５０）、カード種別消去処理（Ｓ１６０）及び分別排紙処理（Ｓ１７０）を行い、ＩＣカード発行システム１０は、処理を終了する（Ｓ１８０）。
【００２８】
このように、本実施形態よれば、書換可能な不揮発性メモリ３１に記憶され、発行予定の生カード３０の種類を識別するカード種別コードと、データ管理部２０に発行データと関連づけて記憶されているカード種別コードとを発行処理前に比較し、生カード３０が発行処理の対象となるべき種類の生カード３０であるか否かを判定するため、ＩＣカード３０’の発行を正確に行うことが可能となった。
また、カード種別コードを書換可能な不揮発性メモリ３１に記憶するため、カードデザインの制約を無くすことが可能となった。
更に、ＩＣカード発行システム１０は、カード種別コードをＲ／Ｗで読み取り、ＯＣＲリーダやバーコードリーダ、磁気リーダ等を備える必要がなく、また、ＩＣカードにカード種別コードを印刷する、磁気ストライプを設ける必要がないため、設備コスト及び製造コストを抑制することが可能となった。
【００２９】
（変形形態）
以上説明した実施形態に限定されることなく、種々の変形や変更が可能であって、それらも本発明の均等の範囲内である。例えば、生カード３０から発行されるＩＣカード３０’は、非接触式のＩＣカードに限られず、接触式又は接触式／非接触式兼用のＩＣカードであってもよい。また、ＩＣカード３０’は、電磁誘導方式によりカード端末と通信を行うＩＣカードに限られず、静電結合方式により通信を行うＩＣカードであってもよく、通信方法は、限定されない。
また、生カード３０に格納されているＯＳは、マルチアプリケーションＯＳであってもシングルアプリケーションＯＳであってもよい。
【００３０】
図５は、本発明によるＩＣカード発行システムの変形形態を示す図である。
図５に示すように、変形形態におけるＩＣカード発行システム１０−２は、実施形態におけるカード種別検査部１４及び１次・２次発行部１５の機能を併せたカード種別検査部兼１次・２次発行部１４−２を備えている。
ＩＣカード発行システム１０では、カード種別検査部１４及び１次・２次発行部１５にそれぞれＲ／Ｗが必要であったが、このＩＣカード発行システム１０−２では、カード種別検査部兼１次・２次発行部１４−２で１つのＲ／Ｗのみで同様の効果を得ることが可能である。
また、図示していないが、同様に、カード種別検査部１４と１次・２次発行部１５、カード種別消去部１６で１つのＲ／Ｗを使用してもよい。
【００３１】
カード種別コードが生カード製造時に書換可能な不揮発性記憶部３１に書き込まれ、この生カード３０が保管され、その後、発行処理が行われるため、カード種別コード入力及び発行処理に時間的隔たりがあるが、ＩＣカード発行システム１０，１０−２は、１次・２次発行部１５等のＲ／Ｗを利用して生カード３０へカード種別コードを入力するカード種別コード入力部を備え、発行処理前においてカード種別コードの入力を行ってもよい。
また、カード種別コード入力部は別の装置、例えばＩＣ検査装置で検査時に入力してもよい。カード種別コードの生カード３０への入力は、発行処理前に予め行われれば、同様の効果を得ることが可能であって、その入力方法、入力時期は、限定されない。
【００３２】
ＩＣカード発行システム１０は、カード種別消去部１６でカード種別消去処理を行った後に分別排紙部１７によって分別排紙処理を行っているが、逆の順で処理を行ってもよい。また、生カード３０（ＩＣカード３０’）が非接触ＩＣカードである場合には、ＩＣカード発行システム１０は、ＩＣカード３０’を封筒に封入、封緘した後等、発送できる状態でカード種別消去処理を行ってもよい。
【００３３】
ＩＣカード発行システム１０は、ＩＣカード３０’の書換可能な不揮発性メモリ３１に記憶されているカード種別コードを消去するカード種別消去部１６を備えていなくてもよい。発行後にカード種別コードを整理番号等として活用することが可能である。また、生カード３０（ＩＣカード３０’）は、カード種別コードを不揮発性の読み出し専用メモリ（ＲＯＭ）に記憶していてもよい。この場合にも、ＩＣカード発行システム１０は、カード種別消去部１６を備える必要はない。
【００３４】
１次・２次発行部１５は、カード種別検査部１４から搬送された各生カード３０に対して１次・２次発行処理を行うが、カード種別検査部１４における処理結果がＯＫである生カード３０のみに対して１次・２次発行処理を行ってもよい。
処理結果がＮＧである生カード３０に対する不要な処理を減らし、負担を軽減することが可能である。
【００３５】
【発明の効果】
以上詳しく説明したように、本発明によれば、以下の効果を得ることが可能となった。
（未設定ＩＣカードについて）
（１）生カード種別情報等、発行データ識別情報等の予定処理識別情報を記憶することによって、発行データを正確に記憶させる等、発行処理を正確に行う。
（２）書換可能な不揮発性の記憶手段に予定処理識別情報を記憶することによって、カードデザインの制約を無くし、書込、書換等の利便性を高めるとともに、設備コスト、製造コスト等のコストアップを抑制する。
（ＩＣカード発行システム及びＩＣカードの発行方法について）
（３）送信発行データ識別情報等、ＩＣカードから入力する予定処理識別情報に基づいて、所定の処理を施すべきＩＣカードであるか否かを判定することによって、発行データの送信等、ＩＣカードに対する所定の処理を正確に行う。
（４）予定処理識別情報を消去することによって、空き領域の確保等、利便性を高める。
【図面の簡単な説明】
【図１】本発明による未設定ＩＣカード、ＩＣカード発行システムの実施形態を示すブロック図である。
【図２】データ管理部に登録されているカード種別コードを説明するための図である。
【図３】データ管理部に記憶されている発行データを説明するための図である。
【図４】本発明によるＩＣカード発行システムの動作及び本発明によるＩＣカード発行方法を示すフローチャートである。
【図５】本発明によるＩＣカード発行システムの変形形態を示す図である。
【符号の説明】
１０，１０−２　ＩＣカード発行システム
１１　制御部
１２　搬送部
１３　給紙部
１４　カード種別検査部
１４−２　カード種別検査部兼１次・２次発行部
１５　１次・２次発行部
１６　カード種別消去部
１７　分別排紙部
１８　記憶部
２０　データ管理部
２１　カード種別登録部
２２　発行データ入力部
３０　生カード
３０’　ＩＣカード
３１　書換可能な不揮発性メモリ
【図１】
2004094784.tif 000003
【図２】
2004094784.tif 000004
【図３】
2004094784.tif 000005
【図４】
2004094784.tif 000006
【図５】
2004094784.tif 000007